(57)【要約】【課題】静止画撮影を行う撮像装置において、画像認識した物体以外の物体にピントを合わせて静止画撮影を行うことができなかった。【解決手段】ライブビューで動画を記録する手段を有し、記録した動画から画像認識を行う手段を有し、認識した物体が指定した動作を行ったらレリーズし静止画を自動的に撮影する手段を有し、またその静止画撮影でピントを合わせたい物体は画像認識を行った物体ではなく、別の物体とする手段を有することを特徴とする。【選択図】図２
2010087998.tif 000002
【特許請求の範囲】
【請求項１】
物体を認識する物体認識手段と、
前記物体認識手段により認識された第一の物体による所定の動作を検出する動作検出手段と、
前記動作検出手段により所定の動作が検出された場合、前記物体認識手段により認識された第一の物体とは異なる第二の物体にピントを合わせる自動合焦手段と、
前記自動合焦手段によりピントが合った第二の物体を撮像する撮像手段とを有することを特徴とする撮像装置。
【請求項２】
画像表示部を備え、
前記画像表示部に表示される画像からユーザによって指定された第一の物体を検出する指定物体検出手段を更に有し、
前記物体認識手段は、前記指定物体検出手段により検出された第一の物体を認識することを特徴とする請求項１に記載の撮像装置。
【請求項３】
前記画像表示部に対する接触を検知する検知部を備え、
前記指定物体検出手段は、前記検知部により前記画像表示部に対する接触が検知された検知情報に基づいて、前記第一の物体を検出することを特徴とする請求項２に記載の撮像装置。
【請求項４】
記録された動画像を再生する動画再生手段を更に有し、
前記指定物体検出手段は、前記動画再生手段により再生された動画像から、前記第一の物体を検出することを特徴とする請求項２又は３に記載の撮像装置。
【請求項５】
画像表示部を備え、
前記画像表示部に表示される複数の動作項目からユーザによって選択された動作項目を検出する選択検出手段を更に有し、
前記動作検出手段は、前記選択検出手段により検出された動作項目の選択に基づいて、前記第一の物体による所定の動作を検出することを特徴とする請求項１に記載の撮像装置。
【請求項６】
前記動作項目には、前記第一の物体である人物の表情を示す項目又は、前記第一の物体の大きさを示す項目を含むことを特徴とする請求項５に記載の撮像装置。
【請求項７】
画像表示部を備え、
前記画像表示部に表示される画像からユーザによって指定された第二の物体を認識する第二物体認識手段を更に有し、
前記自動合焦手段は、前記第二物体認識手段により認識された第二の物体にピントを合わせることを特徴とする請求項１に記載の撮像装置。
【請求項８】
前記自動合焦手段は、ＴＶＡＦにより前記第二の物体にピントを合わせることを特徴とする請求項１乃至７の何れか１項に記載の撮像装置。
【請求項９】
物体を認識する物体認識ステップと、
前記物体認識ステップにより認識された第一の物体による所定の動作を検出する動作検出ステップと、
前記動作検出ステップにより所定の動作が検出された場合、前記物体認識ステップにより認識された第一の物体とは異なる第二の物体にピントを合わせる自動合焦ステップと、
前記自動合焦ステップによりピントが合った第二の物体を撮像する撮像ステップとを有することを特徴とする撮像装置の撮像方法。
【請求項１０】
物体を認識する物体認識ステップと、
前記物体認識ステップにより認識された第一の物体による所定の動作を検出する動作検出ステップと、
前記動作検出ステップにより所定の動作が検出された場合、前記物体認識ステップにより認識された第一の物体とは異なる第二の物体にピントを合わせる自動合焦ステップと、
前記自動合焦ステップによりピントが合った第二の物体を撮像する撮像ステップとをコンピュータに実行させるためのプログラム。
【発明の詳細な説明】
【技術分野】
【０００１】
本発明は、所定の物体にピントを合わせることができる撮像装置、撮像方法及びプログラムに関するものである。
【背景技術】
【０００２】
撮影者がカメラを用いて、カーレースや陸上競技等、高速でカメラの撮影画面内を横切るような被写体を撮影したい場合、被写体は高速で移動しているために、所望する構図の撮影を行うのは困難である。従来、このような被写体に対して、１回のレリーズ操作で複数枚の写真を連続撮影するモータドライブ機能付きのカメラを用いることにより、所望する構図の撮影をすることが提案されている。
【０００３】
しかし、このようなモータドライブ機能付きカメラであっても、カーレース等、高速で移動する物体は、タイミングを合わせるのが困難であり、望みの構図の写真が一枚得られるか否かである。したがって、フィルムの多数を無駄にしてしまい、撮影を手軽に行うことができないという不具合があった。
【０００４】
そこで、高速移動する被写体の待ち伏せ撮影において、測距ポイントを選択的に指定し、被写体の移動方向と速度とを検出し、そのデータに基づいて、撮影者の所望する構図の撮影を確実に行なうような待ち伏せ機能付カメラがある（特許文献１参照）。
また、近年、ライブビューにより被写体を認識して被写体の動きを推定し、被写体の動きが指定した動きと一致する場合に、静止画撮影することが考えられている。
【０００５】
【特許文献１】特開平２−１６２３０８号公報
【特許文献２】特開昭５２−１５６６２４号公報
【特許文献３】特開平４−３４６３３３号公報
【特許文献４】特開平８−６３５９７号公報
【特許文献５】特開平１０−０５１６７６号公報
【特許文献６】特開平１０−０５１６７７号公報
【特許文献７】特開平１０−０５１６７９号公報
【発明の開示】
【発明が解決しようとする課題】
【０００６】
しかしながら、上述した特許文献１に開示された技術や、上述した被写体の動きが指定した動きと一致する場合に行う静止画撮影は、レリーズタイミングのきっかけとなった被写体のみにピントを合わせて撮影するものである。すなわち、レリーズタイミングのきっかけとなった物体以外の物体にピントを合わせて撮影することができないという問題がある。
本発明は、上述したような問題点に鑑みてなされたものであり、レリーズタイミングのきっかけとなった物体以外の物体にピントを合わせて撮影することを目的とする。
【課題を解決するための手段】
【０００７】
本発明の撮像装置は、物体を認識する物体認識手段と、前記物体認識手段により認識された第一の物体による所定の動作を検出する動作検出手段と、前記動作検出手段により所定の動作が検出された場合、前記物体認識手段により認識された第一の物体とは異なる第二の物体にピントを合わせる自動合焦手段と、前記自動合焦手段によりピントが合った第二の物体を撮像する撮像手段とを有することを特徴とする。
また、本発明の撮像方法は、物体を認識する物体認識ステップと、前記物体認識ステップにより認識された第一の物体による所定の動作を検出する動作検出ステップと、前記動作検出ステップにより所定の動作が検出された場合、前記物体認識ステップにより認識された第一の物体とは異なる第二の物体にピントを合わせる自動合焦ステップと、前記自動合焦ステップによりピントが合った第二の物体を撮像する撮像ステップとを有することを特徴とする。
また、本発明のプログラムは、物体を認識する物体認識ステップと、前記物体認識ステップにより認識された第一の物体による所定の動作を検出する動作検出ステップと、前記動作検出ステップにより所定の動作が検出された場合、前記物体認識ステップにより認識された第一の物体とは異なる第二の物体にピントを合わせる自動合焦ステップと、前記自動合焦ステップによりピントが合った第二の物体を撮像する撮像ステップとをコンピュータに実行させるためのプログラムである。
【発明の効果】
【０００８】
本発明によれば、レリーズタイミングのきっかけとなった物体以外の物体にピントを合わせて撮影を行うことができる。
【発明を実施するための最良の形態】
【０００９】
以下、本発明の実施形態について図面を参照して説明する。本実施形態では、撮像装置として一眼レフタイプのデジタルスチルカメラを取り上げて説明する。
（第１の実施形態）
まず、図１を参照して、一眼レフタイプのデジタルスチルカメラ（以下、カメラという）の構成について説明する。カメラ２００は、カメラ本体２０１とカメラ本体２０１に対して着脱可能なレンズユニット２０２とを含んで構成されている。
図１において、シャッター１１は、撮像素子１２への露光量を制御する。撮像素子１２は、光学像を電気信号に変換する。
【００１０】
レンズユニット２０２側の撮影レンズ１１０に入射した光線は、一眼レフ方式によって、絞り１１１、レンズマウント１０６、１３、ミラー１４、シャッター１１を介して導き、光学像として撮像素子１２上に結像される。ここで、撮影レンズ１１０の設定が、マニュアルフォーカスモード（ＭＦ）でなく、オートフォーカスモード（ＡＦ）である場合、レンズユニット２０２は、そのフォーカスモードとＦ値（レンズの明るさ）とをカメラ２００のカメラ本体２０１に通信する。Ｆ値が８．０よりも小さければカメラ２００は、オートフォーカスを行う。一方、Ｆ値が８．０以上の場合、カメラ２００は、オートフォーカスを行わない。
【００１１】
Ａ／Ｄ変換器１５は、撮像素子１２のアナログ信号出力をデジタル信号に変換する。
タイミング発生部１６は、撮像素子１２に電子シャッター制御信号、クロック信号を供給したり、Ａ／Ｄ変換器１５に制御信号やクロック信号を供給したりする。このタイミング発生部１６は、メモリ制御部１７及びデジタル部システム制御部１８により制御される。
【００１２】
デジタル部システム制御部１８は、カメラ２００のデジタル部を制御する。デジタル部システム制御部１８は、カメラ部システム制御部１９と相互に通信可能である。また、デジタル部システム制御部１８は、画像表示部２０のデータ表示を制御する。また、デジタル部システム制御部１８は、カメラ部システム制御部１９から測光タイマ中か否かの通知を受け、その状態をＲＡＭ２１に記憶したり、画像処理部２２から画像処理中か否かの通知を受け、その状態をＲＡＭ２１に記憶したりする。更に、デジタル部システム制御部１８は、画像表示部２０にデータ表示中か否かをＲＡＭ２１に記憶する。デジタル部システム制御部１８は、後述する画像認識部２３が、ライブビューで画像認識した物体が指定した動作と一致する動作をしたと認識したときに、通知を受け、指定した物体にピントを合わせて撮影する。
【００１３】
画像処理部２２は、Ａ／Ｄ変換器１５からのデータ或いはメモリ制御部１７からのデータに対して所定の画素補間処理や色変換処理を行ったり、画像処理中か否かをデジタル部システム制御部１８に通知したりする。また、画像処理部２２は、必要に応じて、撮像した画像データを用いて所定の演算処理を行う。カメラ部システム制御部１９は、画像処理部２２による演算結果に基づいて、露光制御部（シャッター制御部）２４と測距制御部１１３とに対して制御を行う撮像面オートフォーカス処理、ＡＥ（自動露出）処理、ＥＦ（フラッシュ調光）処理を行う。また、画像処理部２２は、カメラ２００がライブビューモードに設定されている場合、撮像素子１２に結像された画像の画像データをリアルタイムで画像表示部２０に表示する。更に、画像処理部２２は、撮像した画像データを用いて所定の演算処理を行い、得られた演算結果に基づいて、ＴＴＬ方式のＡＷＢ（オートホワイトバランス）処理及び後述するＴＶＡＦを行う。
【００１４】
メモリ制御部１７は、Ａ／Ｄ変換器１５、タイミング発生部１６、画像処理部２２、ＲＡＭ２１、圧縮・伸長部２６を制御する。Ａ／Ｄ変換器１５により変換された画像データは、画像処理部２２及びメモリ制御部１７の双方を介して、又はメモリ制御部１７のみを介して、ＲＡＭ２１に書き込まれる。
画像表示部２０は、ＴＦＴＬＣＤ等であり、メニュー、撮影した画像データ等を表示する。なお、画像表示部２０は、Ｖｉｄｅｏコントローラを含む。また、画像表示部２０は、デジタル部システム制御部１８の指示により、表示をＯＮ又はＯＦＦにすることができ、表示をＯＦＦにした場合、カメラ２００の電力消費を大幅に低減することができる。画像表示部２０は、撮影した静止画像を表示する他、記録した動画像の再生を表示することができる。更に、画像表示部２０は、画像認識させたい物体の動作を指定するメニューを表示したり、そのメニューを選択することにより画像認識させたい物体の動作を指定したりすることができる。
【００１５】
ＲＡＭ２１は、撮影した静止画像や動画像を格納するためのメモリであり、所定枚数の静止画像や所定時間の動画像を格納するのに十分な記憶量を備えている。したがって、複数枚の静止画像を連続して撮影する連射撮影やパノラマ撮影の場合であっても、高速かつ大量の画像の書き込みを記録部１５３、１６３に対して行うことができる。なお、撮影された画像データ又は記録部１５３、１６３から読み出された画像データは、デジタル部システム制御部１８の制御下でＲＡＭ２１に格納される。このＲＡＭ２１の一部は、本実施形態におけるキャッシュ領域として用いられる。更に、ＲＡＭ２１は、カメラ部システム制御部１９の作業領域としても使用することができる。
【００１６】
圧縮・伸長部２６は、適応離散コサイン変換（ＡＤＣＴ）等により画像データを圧縮伸長する。圧縮・伸長部２６は、ＲＡＭ２１に格納された画像データを読み込んで圧縮処理或いは伸長処理を行い、それらの処理が行われた画像データをＲＡＭ２１に書き込む。
露光制御部２４は、測光部２７からの測光情報に基づいて、絞り１１１を制御する絞り制御部１１２と連携しながら、シャッター１１を制御する。
測距部２５は、ＡＦ（オートフォーカス）処理を行うための測距を行う。撮影レンズ１１０に入射した光線は、一眼レフ方式によって、絞り１１１、レンズマウント１０６、１３、ミラー１４、図示しない測距用サブミラーを介して、測距部２５に入射させることにより、光学像として結像された画像の合焦状態を測定することができる。
【００１７】
測光部２７は、ＡＥ（自動露出）処理を行う。すなわち、撮影レンズ１１０に入射した光線は、絞り１１１、レンズマウント１０６、１３、ミラー１４、図示しない測光用レンズを介して、測光部２７に入射させることにより、光学像として結像された画像の露出状態を測定することができる。また、測光部２７は、フラッシュ２９と連携することによりＥＦ処理機能も有する。フラッシュ２９は、ＡＦ補助光の投光機能及びフラッシュ調光機能も有する。
【００１８】
カメラ部システム制御部１９は、撮像された画像データを画像処理部２２が演算した演算結果に基づいて、露光制御部２４、絞り制御部１１２、測距制御部１１３に対して制御を行う、ビデオＴＴＬ方式を用いて露出制御及びＡＦ制御をすることもできる。カメラ部システム制御部１９は、カメラ部を制御したり、測光タイマ動作中か否かをデジタル部システム制御部１８に通知したりする。
メモリ３０は、カメラ部システム制御部１９の動作用の定数、変数、プログラム等を記憶する記憶部である。
【００１９】
表示部３１は、カメラ部システム制御部１９によるプログラムの実行に応じて、文字、画像、音声等を用いて動作状態やメッセージ等を表示する表示装置、スピーカー等の出力装置である。表示部３１は、カメラ本体２０１の操作部３２近辺のユーザが視認し易い位置に単数又は複数個所設置されている。表示部３１は、例えばＬＣＤ、ＬＥＤ、発音素子等の組み合わせにより構成されている。
また、表示部３１は、その一部の機能が光学ファインダ３３内に設置されている。ここで、表示部３１の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示等である。また、例えば、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示等である。また、例えば、記録媒体１５０、１６０の着脱状態表示、レンズユニット２０２の着脱状態表示、通信Ｉ／Ｆ動作表示、日付・時刻表示、外部コンピュータとの接続状態を示す表示等である。
【００２０】
表示部３１の表示内容のうち、光学ファインダ３３内に表示するものとしては、例えば、合焦表示、撮影準備完了表示、手振れ警告表示、フラッシュ充電表示、フラッシュ充電完了表示等である。また、例えば、シャッタースピード表示、絞り値表示、露出補正表示、記録媒体書き込み動作表示等である。
また、表示部３１の表示内容のうち、ＬＥＤ等に表示するものとしては、例えば、合焦表示、撮影準備完了表示、手振れ警告表示、手振れ警告表示、フラッシュ充電表示、フラッシュ充電完了表示等である。また、例えば、記録媒体書き込み動作表示、マクロ撮影設定通知表示、二次電池充電状態表示等である。
また、表示部３１の表示内容のうち、ランプ等に表示するものとしては、例えば、セルフタイマー通知ランプ等である。このセルフタイマー通知ランプは、ＡＦ補助光と共用して用いてもよい。
【００２１】
不揮発性メモリ３４は、電気的に消去・記録可能なメモリであり、例えばＥＥＰＲＯＭ等が用いられる。
モードダイアルスイッチ３５、シャッタースイッチ（ＳＷ１）３６、シャッタースイッチ（ＳＷ２）３７、再生スイッチ３８、単写／連写スイッチ３９及び操作部３２等のユーザ操作部分は、カメラ部システム制御部１９に動作指示を入力するためのものである。
これらのユーザ操作部分は、スイッチ、ダイアル、タッチパネル、視線検知によるポインティング、音声認識装置等の単数或いは複数の組み合わせで構成される。
モードダイアルスイッチ３５は、自動撮影モード、プログラム撮影モード、シャッター速度優先撮影モード、絞り優先撮影モード、マニュアル撮影モード、焦点深度優先（デプス）撮影モード等の各機能撮影モードを切り替え設定するスイッチである。その他、切り替え設定する撮影モードには、例えば、ポートレート撮影モード、風景撮影モード、接写撮影モード、スポーツ撮影モード、夜景撮影モード、パノラマ撮影モード等がある。
【００２２】
シャッタースイッチ（ＳＷ１）３６は、図示しないシャッターボタンの操作途中でＯＮとなり、ＡＦ処理、ＡＥ処理、ＡＷＢ処理、ＥＦ処理等の動作開始を指示する。
シャッタースイッチ（ＳＷ２）３７は、図示しないシャッターボタンの操作完了でＯＮとなり、一連の処理を指示する。この一連の処理では、撮像素子１２から読み出した信号をＡ／Ｄ変換器１５、メモリ制御部１７を介してＲＡＭ２１に画像データを書き込む露光処理、画像処理部２２やメモリ制御部１７での演算を用いた現像処理が行われる。また、ＲＡＭ２１から画像データを読み出し、圧縮・伸長部２６で圧縮を行い、記録媒体１５０、１６０に画像データを書き込む記録処理が行われる。
【００２３】
再生スイッチ３８は、撮影した静止画像、動画像をＲＡＭ２１又は記録媒体１５０、１６０から読み出して画像表示部２０に表示する再生動作の開始を指示する。また、再生スイッチ３８は、記録した動画像の再生も行い、画像表示部２０に動画像を表示する。
単写／連写スイッチ３９は、シャッタースイッチＳＷ２を押した場合に、１駒の撮影を行って待機状態とする単写モードと、シャッタースイッチＳＷ２を押している間は連続して撮影を行い続ける連写モードとを設定するスイッチである。
【００２４】
操作部３２は、各種ボタン等からなり、例えば、メニューボタン、ライブビューを開始するセットボタン、動画記録を開始終了する動画記録開始／終了ボタン、動画再生を停止し静止画を表示させる動画停止ボタン等がある。また、例えば、画像認識を開始させる画像認識開始ボタン、マクロボタン、マルチ画面再生改ページボタン、フラッシュ設定ボタン、単写／連写／セルフタイマー切り替えボタンがある。また、例えば、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンがある。また、例えば、パノラマモード等の撮影及び再生を実行するときに各種機能の選択及び切り替えを設定する選択／切り替えボタン、パノラマモード等の撮影及び再生を実行するときに各種機能の決定及び実行を設定する決定／実行ボタンがある。また、例えば、画像表示部２０のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、例えば、ＪＰＥＧ圧縮の圧縮率を選択するため或いは撮像素子１２の信号をそのままデジタル化して記録媒体に記録するＣＣＤＲＡＷモードを選択するための圧縮モードスイッチがある。また、例えば、再生モード、マルチ画面再生・消去モード、ＰＣ接続モード等の各機能モードを設定することができる再生スイッチ、ＡＦモード設定スイッチ等がある。ＡＦモード設定スイッチは、シャッタースイッチＳＷ１を押したならばオートフォーカス動作を開始し、一旦合焦したならばその合焦状態を保ち続けるワンショットＡＦモードに設定することができる。また、ＡＦモード設定スイッチは、シャッタースイッチＳＷ１を押している間は連続してオートフォーカス動作を続けるサーボＡＦモードを設定することができる。なお、上述したプラスボタン及びマイナスボタンの各機能は、回転ダイアルスイッチにすることにより、簡単に数値や機能を選択することができる。
【００２５】
また、ユーザは、この操作部３２を用いて、画像を認識させたい物体を指定することができる。この指定は、単数の物体に限られず、複数の物体の指定であってもよい。なお、画像を認識させる物体の指定は、操作部３２に限られず、入力部４０を用いてもよい。
また、ユーザは、この操作部３２を用いて、ピントを合わせたい物体の指定を行うことができる。なお、ピントを合わせたい物体の指定は、操作部３２に限られず、入力部４０を用いてもよい。
【００２６】
電源スイッチ４１は、カメラ２００の電源オン、電源オフの各モードを切り替え設定するスイッチである。また、電源スイッチ４１では、カメラ２００に接続されたレンズユニット２０２、外部ストロボ、記録媒体１５０、１６０等の各種付属装置の電源オン、電源オフの設定も合わせて切り替え設定することができる。
電源制御部４２は、電池検出回路、ＤＣ−ＤＣコンバータ、通電するブロックを切り替えるスイッチ回路等により構成されている。電源制御部４２は、電池の装着の有無、電池の種類、電池残量の検出を行い、検出結果及びカメラ部システム制御部１９の指示に基づいてＤＣ−ＤＣコンバータを制御し、必要な電圧を必要な期間、記録媒体１５０、１６０を含む各部へ供給する。
【００２７】
カメラ本体２０１及び電源４５は、それぞれコネクタ４３、４４によって、接続される。電源４５は、例えば、アルカリ電池やリチウム電池等の一次電池、ＮｉＣｄ電池やＮｉＭＨ電池、Ｌｉ電池等の二次電池、ＡＣアダプタ等である。
記録媒体１５０、１６０は、コネクタ１５１、１６１によってカメラ本体２０１のコネクタ４８、４９に接続される。記録媒体１５０、１６０は、例えば半導体メモリ又はハードディスク等の記録部１５３、１６３と、インタフェース１５２、１６２とを含み、カメラ本体２０１側のインタフェース４６、４７を介してカメラ本体２０１内のバスに接続される。
【００２８】
記録媒体着脱検知部５０は、コネクタ４８、４９に記録媒体１５０、１６０が接続されているか否かを検知する。なお、本実施形態では、記録媒体を取り付けるインタフェース及びコネクタを２系統有するものとして説明しているが、これらは１系統でもよいし、３系統以上でもよい。複数系統のインタフェース及びコネクタを備える場合は、それらは互いに異なる仕様を有していてもよい。インタフェース４６、４７並びにコネクタ４８、４９としては例えば、ＰＣＭＣＩＡカードやＣＦ（コンパクトフラッシュ（登録商標））カード等の規格に準拠したものを用いることができる。この場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することができる。そして、他のコンピュータやプリンタ等の周辺機器との間で画像データや画像データに付属した管理情報を相互に転送することができる。
【００２９】
光学ファインダ３３は、撮影レンズ１１０に入射した光線を、一眼レフ方式によって、絞り１１１、レンズマウント１０６及び１３、ミラー１４、２８を介して導き、光学像として結像表示することができる。したがって、画像表示部２０による電子ファインダ機能を使用することなく、光学ファインダ３３のみを用いて撮影を行うことができる。光学ファインダ３３内には、表示部３１の一部の機能、例えば、合焦表示、手振れ警告表示、フラッシュ充電表示、シャッタースピード表示、絞り値表示、露出補正表示等が配置されている。
【００３０】
通信部５１は、例えば、ＩＥＥＥ１３９４等であり、カメラ２００をＰＣ等の外部装置に接続する。カメラ２００は、通信部５１を介することで、ＲＡＭ２１やＲＯＭ５３及び記録部１５３、１６３に格納された情報をＰＣに送信したり、逆に各種情報を受信したりする。ここでは、通信部５１は、主に撮影データや画像データの送受信を行うために用いられる。また、通信部５１は、ＲＳ２３２Ｃ、ＵＳＢ、ＵＳＢ２、Ｐ１２８４、ＳＣＳＩ、モデム、ＬＡＮ、無線通信等により構成してもよい。
また、通信部５１には、カメラ２００を他の外部装置に接続するコネクタ５２、又は無線通信機能を有するときには、アンテナが接続される。コネクタ５２は、カメラ本体２０１と外部装置との間で制御信号、状態信号、データ信号等を互いに転送すると共に、各種電圧の電流を供給する機能も備えている。なお、コネクタ５２は、電気通信のみならず、光通信、音声通信等により通信できるように構成してもよい。
【００３１】
インタフェース５４は、レンズマウント１３内において、カメラ本体２０１をレンズユニット２０２に接続する。コネクタ５５は、カメラ本体２０１をレンズユニット２０２に電気的に接続する。レンズ着脱検知部５６は、レンズマウント１３及びコネクタ５５にレンズユニット２０２が装着されているか否かを検知する。
ミラー１４及びミラー２８は、撮影レンズ１１０に入射した光線を、一眼レフ方式によって光学ファインダ３３に導く。なお、ミラー２８は、クイックリターンミラーの構成であってもよく、ハーフミラーの構成であってもよい。
【００３２】
記録媒体１５０、１６０は、例えば、メモリカードやハードディスク等であり、撮影した静止画像及び動画像を記録する。記録媒体１５０、１６０には、半導体メモリや磁気ディスク等から構成される記録部１５３、１６３、カメラ本体２０１とのインタフェース１５２、１６２、カメラ本体２０１と接続を行うコネクタ１５１、１６１を備えている。
【００３３】
ＲＯＭ５３は、電気的に消去・記録可能な不揮発性メモリであり、カメラ２００の電源がＯＦＦ状態であっても、その記憶内容が保持される。特に、ＲＯＭ５３には、カメラ動作を制御するプログラムを格納したり、撮影モードや撮影情報及び諸々のパラメータを記憶したりするために用いられる。
ＤＭＡコントローラ５７は、画像表示部２０にデータが表示されているとき、ＲＡＭ２１上に用意された表示用データを画像表示部２０にＤＭＡ転送を行う。このＤＭＡ転送により転送されたデータが画像表示部２０に表示される。
【００３４】
画像認識部２３は、画像処理部２２からのデータ又はメモリ制御部１７からのデータに対して所定の画像認識処理を行う。また、画像認識部２３は、画像認識する物体の動作を検出する処理を行う。例えば、画像認識部２３は、ボールの大きさを検出したり、顔認識の処理をしたりする。ここで、顔認識とは、画像に顔があるか否かを検出するものである。なお、画像から顔認識を行う技術は、顔認識技術として、既に多くの方法により実現されている。
【００３５】
例えば、特許文献２では、撮影した画像から人の顔を抽出する方法として、原画像から肌色データを抽出し、肌色範囲と判断された測光点のクラスタを顔とする方法が開示されている。また、特許文献３では、測光データを色相と彩度とに変換し、この２次元ヒストグラムを作成、解析することで顔領域を判断する方法が開示されている。更に、特許文献４では、人の顔の形状に相当する顔候補領域を抽出し、その領域内の特徴量から顔領域を決定するという方法が提案されている。本実施形態において、顔認識を行う方法は、どのような方法であってもよい。また、画像認識部２３は、顔認識を行い、笑顔を検出したり、泣き顔を検出したり、怒った顔を検出したりする。
【００３６】
入力部４０は、例えばタッチパネル（検知部）である。タッチパネルは、画像表示部２０に対する接触を検知する。したがって、ユーザは、タッチパネルにより画像を認識させたい物体を指定することができる。この指定は、単数の物体に限られず、複数の物体の指定であってもよい。なお、画像を認識させる物体の指定は、入力部４０に限られず、上述した操作部３２を用いてもよい。
また、ユーザは、この入力部４０を用いて、ピントを合わせたい物体の指定を行うことができる。なお、ピントを合わせたい物体の指定は、入力部４０に限られず、上述した操作部３２を用いてもよい。
【００３７】
次に、レンズユニット２０２について説明する。レンズユニット２０２は、カメラ本体２０１に対して着脱できる交換レンズタイプである。
レンズマウント１０６は、レンズユニット２０２をカメラ本体２０１に機械的に結合する。レンズマウント１０６内には、レンズユニット２０２をカメラ本体２０１に電気的に接続する各種機能が含まれている。
インタフェース１１４は、レンズマウント１０６内において、レンズユニット２０２をカメラ本体２０１と接続する。コネクタ１１５は、レンズユニット２０２をカメラ本体２０１に電気的に接続する。コネクタ１１５は、カメラ本体２０１とレンズユニット２０２との間で制御信号、状態信号、データ信号等を互いに転送すると共に、各種電圧の電流を供給される、又は供給する機能も備えている。なお、コネクタ１１５は、電気通信のみならず、光通信、音声通信等により通信できるように構成としてもよい。
【００３８】
絞り制御部１１２は、測光部２７からの測光情報に基づいて、シャッター１１を制御する露光制御部２４と連携しながら、絞り１１１を制御する。測距制御部１１３は、撮影レンズ１１０のフォーカシングを制御する。また、ズーム制御部１１６は、撮影レンズ１１０のズーミングを制御する。
レンズシステム制御部１１７は、レンズユニット２０２全体を制御する。レンズシステム制御部１１７は、動作用の定数、変数、プログラム等を記憶するメモリを備えている。また、レンズシステム制御部１１７は、レンズユニット２０２固有の番号等の識別情報、管理情報、開放絞り値や最小絞り値、焦点距離等の機能情報、現在や過去の各設定値等を保持する不揮発メモリの機能も備えている。
【００３９】
次に、図２に示すフローチャートを参照して、本実施形態に係るカメラの動作処理について説明する。まず、画像認識させたい物体の指定方法について説明する。本実施形態では、ユーザによってライブビューモードが設定されているものとする。ライブビューモードでは、ミラー１４が光路から退避し、光学像が撮像素子１２に入射し続け、リアルタイムで生成された動画を画像表示部２０に表示することができる。このとき、ミラー１４が光路から退避しているため、ＡＦ処理とＡＥ処理はそれぞれ測距部２５と測光部２７を用いるのではなく、撮像素子１２で生成された画像データを用いて行われる。
ステップＳ２０１において、ユーザによってカメラ２００の電源スイッチ４１がＯＮにされると、カメラ２００のカメラ部システム制御部１９が、カメラ本体２０１、レンズユニット２０２を起動する。
次に、ステップＳ２０２において、デジタル部システム制御部１８は、撮像素子１２に結像された画像の画像データをリアルタイムで画像表示部２０に表示する。
【００４０】
次に、ステップＳ２０３において、カメラ部システム制御部１９が、ユーザによって動画記録開始ボタンの押下されるまで待機する。カメラ部システム制御部１９が動画記録開始ボタンの押下を検出すると、デジタル部システム制御部１８は、記録媒体１５０、１６０に動画像データの記録を開始する。
次に、ステップＳ２０４において、カメラ部システム制御部１９は、ユーザにより動画記録終了ボタンが押下されたか否かを判定する。動画記録終了ボタンの押下を検出した場合、ステップＳ２０５に処理を進める。
ステップＳ２０５において、デジタル部システム制御部１８は、記録媒体１５０、１６０に記憶した動画像の画像データを再生する。この処理は、動画再生手段の一例に対応する。
【００４１】
次に、ステップＳ２０６において、デジタル部システム制御部１８は、ユーザによって画像認識させたい物体が画像表示部２０に表示されたことを示す操作が行われたか否かを判断する。例えば、ユーザによって動画像の再生を停止（一時停止）する操作がされたか否かを判断する。物体が表示された場合、ステップＳ２０７に処理を進める。
ステップＳ２０７において、デジタル部システム制御部１８は、動画像の画像データの再生を停止し、画像表示部２０に静止画を表示する。
次に、ステップＳ２０８において、デジタル部システム制御部１８は、画像表示部２０に表示されている画像のうち、ユーザが指定した領域を検出する。ユーザは、タッチパネルとしての入力部４０を介して、画像認識させたい物体（第一の物体）を指定する。具体的には、ユーザは、画像表示部２０に表示されている画像のうち画像認識させたい物体に、画像表示部２０上で接触する。例えば、画像表示部２０上で物体を囲むように丸（○）をつけたり、印をつけたり、輪郭をなぞったりすることにより指定する。なお、物体の指定方法は、この場合に限られず、例えば上述したように操作部３２を用いてもよい。また、画像認識させたい物体を複数指定してもよい。
ユーザにより画像認識させたい物体が指定されると、デジタル部システム制御部１８は、タッチパネルによる検知データ（検知情報）に基づいて、画像表示部２０に表示されている物体のうち何れの物体が指定されたかを画像データと照合して、検出する。この処理は、指定物体検出手段の一例に対応する。その後、画像認識部２３は、物体が人物であるか等の判定を行い、その特徴データ等をＲＡＭ２１等に記憶する。
【００４２】
次に、ステップＳ２０９において、デジタル部システム制御部１８は、指定した物体のどの動作が、静止画撮影を開始させるタイミングとしてユーザによって指定されたかを検出する。ここでは、デジタル部システム制御部１８は、画像表示部２０に図３に示すような、複数の物体の動作項目からなるメニュー３００を表示する。図３に示すメニュー３００には、物体の大きさを示す項目として、「同じ大きさになったら」の動作項目３０１が表示されている。また、人物の表情を示す項目として、「笑ったら」の動作項目３０２、「泣いたら」の動作項目３０３、「怒ったら」の動作項目３０４が表示されている。また、人物の動作を示す項目として、「投げたら」の動作項目３０５が表示されている。ユーザは、操作部３２を介して、メニュー３００の中から所望する物体の動作項目を選択して、指定する。ここでは、ユーザは、例えば「笑ったら」の動作項目３０２を選択したものとする。デジタル部システム制御部１８は、ユーザによって選択された動作項目を検出する。この処理は、選択検出手段の一例に対応する。
その後、デジタル部システム制御部１８は、選択された動作項目をＲＡＭ２１等に記憶する。ここでは、デジタル部システム制御部１８は、物体の動作項目として「笑ったら」の動作項目をＲＡＭ２１等に記憶する。
【００４３】
これまでの処理により、レリーズのタイミングを指定できたので、次にピントを合わせる物体を指定する。
ステップＳ２１０において、デジタル部システム制御部１８は、画像表示部２０に表示されている画像のうち、ユーザが指定したピントを合わせたい物体（第二の物体）を検出する。ユーザは、タッチパネルとしての入力部４０を介して、ピントを合わせたい物体を指定する。具体的には、ユーザは、画像表示部２０に表示されている画像のうちピントを合わせたい物体に、画像表示部２０上で接触する。例えば、画像表示部２０上で物体に三角（△）をつけたり、印をつけたりすることにより行う。なお、物体の指定方法は、この場合に限られず、例えば上述したように操作部３２を用いてもよい。
ユーザにより画像認識させたい物体が指定されると、デジタル部システム制御部１８は、タッチパネルによる検知データ（検知情報）に基づいて、画像表示部２０に表示されている物体のうち何れの物体が指定されたかを画像データと照合して、検出する。この処理は、第二物体検出手段の一例に対応する。その後、画像認識部２３は、物体が人物であるか等の判定を行い、その特徴データ等をＲＡＭ２１等に記憶する。
この処理により、レリーズ時にピントを合わせる物体を指定することができた。
なお、ピントを合わせる物体を指定する順番と、画像を認識させる物体を指定して物体の動作を指定する順番とは、逆であってもよい。
【００４４】
次に、指定したレリーズタイミングで指定した物体にピントを合わせて自動的に撮影する方法について説明する。
まず、ステップＳ２１１において、デジタル部システム制御部１８は、撮像素子１２に結像された画像の画像データをリアルタイムで画像表示部２０に表示する。
次に、ステップＳ２１２において、画像認識部２３は、表示している画像の画像データからステップＳ２０８で指定された物体を認識する。この処理は、物体認識手段の一例に対応する。
【００４５】
ステップＳ２１３において、画像認識部２３は、認識している物体の所定の動作を検出する。この処理は、動作検出手段の一例に対応する。ここで、所定の動作とは、ステップＳ２０９で指定した物体の動作である。上述では、ユーザは、図３に示すメニュー３００のうち「笑ったら」の動作項目３０２を選択したので、画像認識部２３は、認識している物体が「笑った」か否かを判定する。所定の動作と同じ動作をしたことを検出した場合、画像認識部２３は、デジタル部システム制御部１８に通知し、ステップＳ２１４に処理を進める。なお、このとき、画像認識部２３は、表示している画像の画像データからステップＳ２１０で指定された物体（第二の物体）を認識する。この処理は、第二物体認識手段の一例に対応する。
【００４６】
ステップＳ２１４において、カメラ部システム制御部１９は、ステップＳ２１０で指定した物体（第二の物体）にピントを合わせる。この処理は、自動合焦手段の一例に対応する。具体的には、画像処理部２２が撮像素子１２にて生成された画像データからＡＦ評価値を求め、デジタル部システム制御部１８を介してカメラ部システム制御部１９にＡＦ評価値を送信する。そして、測距制御部１１３は、カメラ部システム制御部１９又はレンズシステム制御部１１７の指示の下で、撮影レンズ１１０を至近側又は∞側に駆動してＡＦ評価値が最大となる位置へ撮影レンズ１１０を移動させ、指定した物体にピントを合わせる。なお、物体にピントを合わせるオートフォーカスは、例えば、特許文献５、特許文献６及び特許文献７に記載されているような、いわゆるＴＶＡＦ（コントラスト検知オートフォーカス）とする。ＴＶＡＦにすることにより、高速でかつ継続させて、物体（第二の物体）にピントを合わせることができる。このＴＶＡＦについては、後述する。
続いて、デジタル部システム制御部１８およびカメラ部システム制御部１９は、静止画の撮像を行う。この処理は、撮像手段の一例に対応する。
このように本実施形態によれば、画像認識した物体の動作に合わせて自動的にレリーズし、またそのピントは画像認識させた物体以外の物体に合わせることができる。したがって、例えば、お母さんが笑ったら、赤ちゃんにピントを合わせて静止画を撮影する等といったことが可能になる。
【００４７】
次に、図４、図５を参照して、本実施形態で用いられるＴＶＡＦについて説明する。
ＴＶＡＦは、高速でかつ継続させて所定の物体にピントを合わせることができるので、高速で移動する被写体等を撮像するような場合に用いられて好適である。
まず、図４のフローチャートに示すように、ステップＳ４０１において、操作部３２よりＴＶＡＦを行うことを指定されると、カメラ部システム制御部１９は、レンズシステム制御部１１７を動作させ、撮影レンズ１１０を微小駆動動作させる。デジタル部システム制御部１８は、画像処理部２２からＡＦ評価値を取得して、現在合焦しているのか、ボケているのか、ボケているときには合焦点はどちらなのかを判断する。より具体的に説明すると、画像処理部２２は、１フレームごとに得られた信号から高周波成分又は近接画素の輝度差の積分値を求め、これを合焦度合いを示すＡＦ評価値とする。合焦状態にあるときは、被写体のエッジ部分がはっきりしているためにＡＦ評価値が大きくなる。非合焦状態にあるときは、ＡＦ評価値が小さくなる。なお、ＡＦ評価値の算出は、デジタル部システム制御部１８が行ってもよい。
【００４８】
次に、ステップＳ４０２において、デジタル部システム制御部１８は、タイミング発生部１６のＡＧＣから現在のＡＧＣのゲインに応じ、ステップＳ４０３で用いる所定レベルを変更する。これは、タイミング発生部１６のＡＧＣがオフ（ＯＦＦ）のときの値を基準にタイミング発生部１６のＡＧＣのゲインが上がるにつれて大きくなるように設定する。
次に、ステップＳ４０３において、デジタル部システム制御部１８は、ＡＦ評価値が所定レベル以下か否かを判定する。ＡＦ評価値が所定レベル以下の場合、ステップＳ４１４に処理を進める。
【００４９】
ステップＳ４１４において、デジタル部システム制御部１８は、微小駆動動作による方向判別を中止し、現在の撮影レンズ１１０の位置から山登り方向を設定する。ここで、図５を参照して、山登り方向について、説明する。
図５は、画像に表示されている所定の物体におけるレンズ位置とＡＦ評価値との関係の特性線を示す図であり、横軸にレンズ位置を示し、縦軸にＡＦ評価値を示している。図５に示す特性線は、特性線上の点ＣでＡＦ評価値が最も高く、至近側及び∞側でＡＦ評価値が低い山型形状である。ここでは、特性線上の点Ｃに対応するレンズ位置Ｓが所定の物体の合焦位置である。
ここで、レンズ位置Ａである場合、対応する特性線上の点は点ａであり、ＡＦ評価値は所定レベル以下である。したがって、上述したステップＳ４１４において、デジタル部システム制御部１８は、山登り方向として図５に示す矢印方向を設定し、以下の処理において合焦位置のレンズ位置Ｓを検出していく。
ステップＳ４１４において、デジタル部システム制御部１８が、山登り方向を設定した後、ステップＳ４０６に処理を進める。
【００５０】
一方、ステップＳ４０３において、ＡＦ評価値が所定レベル以下でない場合、ステップＳ４０４に処理を進める。
ステップＳ４０４において、デジタル部システム制御部１８は、微小駆動動作の結果により現在、合焦状態にあるのか否かを判定する。合焦状態にある場合、ステップＳ４１０に処理を進める。ステップＳ４１０以降において、カメラ部システム制御部１９は、撮影レンズ１１０の移動を停止して、再起動監視処理に進む。
【００５１】
一方、ステップＳ４０４において、合焦状態でない場合、ステップＳ４０５に処理を進める。ステップＳ４０５において、デジタル部システム制御部１８は、微小駆動動作の結果により、どちらの方向に合焦点があるかの判別ができたか否かを判定する。方向判別ができない場合、ステップＳ４０１に処理を戻す。ステップＳ４０５において、方向判別ができた場合、ステップＳ４０６に処理を進める。
【００５２】
次に、ステップＳ４０６において、カメラ部システム制御部１９は、ステップＳ４１４で設定された方向、ステップＳ４０５で判別した方向に、撮影レンズ１１０を駆動（山登り駆動動作）する。
次に、ステップＳ４０７において、デジタル部システム制御部１８は、合焦点、すなわちＡＦ評価信号（ＡＦ評価値）の頂点を越えたか否かを判定する。具体的には、図５に示す特性線上の点Ｃを越えたか否かを判定する。頂点を越えていないと判定した場合、ステップＳ４０６に処理を戻し、山登り駆動動作を続ける。
一方、ステップＳ４０７において、頂点を越えたと判定した場合、ステップＳ４０８に処理を進める。
【００５３】
ステップＳ４０８において、カメラ部システム制御部１９は、撮影レンズ１１０を頂点に戻す。しかし、頂点に戻す動作をしている間に、パンニング等により被写体が変化する場合があるので、撮影レンズ１１０のレンズ位置が、頂点に辿り着いたとき、今いるところが本当に頂点、すなわち合焦点であるのかを判定する必要がある。
したがって、次に、ステップＳ４０９において、デジタル部システム制御部１８は、撮影レンズ１１０が頂点に達したか否かを判定する。撮影レンズ１１０が頂点に達したと判定した場合、ステップＳ４０１に処理を戻し、以降の処理で合焦点であるかの判定に処理を進める。ステップＳ４０９において、撮影レンズ１１０が頂点に達していない場合、ステップＳ４０８に処理を戻す。
【００５４】
一方、ステップＳ４０４において、合焦状態であると判定した場合、ステップＳ４１０に処理を進め、デジタル部システム制御部１８は、現在合焦状態にある場合のＡＦ評価値レベルをＲＡＭ２１等に記憶する。
次に、ステップＳ４１１において、デジタル部システム制御部１８は、再起動判定ルーチンを実行する。この再起動判定ルーチンは、現在合焦状態にある場合に、ＡＦ評価値レベルが、前回のステップＳ４１０において記憶したレベルに比べ、変動したか否かを判別する処理である。
次に、ステップＳ４１２において、デジタル部システム制御部１８は、再起動したか否かを判定する。ここで、例えば、ステップＳ４１１において記憶したＡＦ評価値レベルに対して、所定レベル以上変化していたら、パンニング等による被写体変化があったとして、「再起動した」と判定する。一方、所定レベル未満の変化量ならば被写体の変化はないとして「再起動しない」と判定する。「再起動しない」と判定した場合、ステップＳ４１３に処理を進める。
【００５５】
ステップＳ４１３において、カメラ部システム制御部１９は、撮影レンズ１１０の移動を停止して、ステップＳ４１１に処理を戻し、再び再起動監視処理を行う。一方、ステップＳ４１２において「再起動した」と判定した場合、ステップＳ４０１に処理を戻し、再び微小駆動動作を行い、合焦判定及び方向判定を行う。
このような、動作を繰り返すことで、絶えず指定した物体（第二の物体）に合焦状態を継続させるように撮影レンズ１１０を動作させて、ＴＶＡＦを行うことができる。
【００５６】
（第２の実施形態）
次に、図６に示すフローチャートを参照して、野球でピッチャーがボールをバッターに向かって投げ、ボールが指定した大きさになったら、バッターにピントを合わせてレリーズする第２の実施形態について、説明する。本実施形態に係るカメラの構造は、第１の実施形態と同様であり、その説明を省略する。また、図６に示すフローチャートは、第１の実施形態で説明した図２に示すフローチャートと同様の処理については、適宜省略して説明する。
まず、画像認識させたい物体の指定方法について説明する。
図６に示すフローチャートのステップＳ２０１〜ステップＳ２０６までは、図２に示すフローチャートのステップＳ２０１〜ステップＳ２０６と同様であり、その説明を省略する。
【００５７】
次に、ステップＳ５０７において、デジタル部システム制御部１８は、動画データの再生を停止し、画像表示部２０に静止画を表示する。ここでは、画像表示部２０には、画像認識させたいボールが表示されているものとする。
次に、ステップＳ５０８において、デジタル部システム制御部１８は、画像表示部２０に表示されている画像のうち、ユーザが指定した領域を検出する。ユーザは、タッチパネルを介して、画像認識させたい物体（ボール）を指定する。具体的には、ユーザは、画像表示部２０に表示されているボールの輪郭を画像表示部２０上において囲む。なお、ボールの指定は、この場合に限られない。
【００５８】
次に、ステップＳ５０９において、デジタル部システム制御部１８は、指定した物体のどの動作が、静止画撮影を開始させるタイミングとしてユーザによって指定されたかを検出する。ユーザは、静止画撮影を開始させるための、指定した物体の動作を指定する。ここでは、ユーザは、図３に示すメニュー３００のうち、「同じ大きさになったら」の動作項目３０１を選択する。なお、動作項目は、この場合に限られず、例えば、「２倍の大きさになったら」等の動作項目であってもよい。
【００５９】
次に、ステップＳ５１０において、デジタル部システム制御部１８は、画像表示部２０に表示されている画像のうち、ユーザが指定したピントを合わせたい物体（第二の物体）を検出する。ユーザは、タッチパネルを介して、ピントを合わせたい物体（バッター）を指定する。具体的には、ユーザは、画像表示部２０に表示されているバッターを画像表示部２０上において△をつける。なお、バッターの指定は、この場合に限られない。
【００６０】
次に、指定したレリーズタイミングで指定した物体にピントを合わせて自動的に撮影する方法について説明する。図６に示すフローチャートのステップＳ２１１は、図２に示すフローチャートのステップＳ２１１と同様であり、その説明を省略する。
次に、ステップＳ５１２において、画像認識部２３は、表示している画像の画像データからステップＳ５０８で指定されたボールを認識する。
【００６１】
次に、ステップＳ５１３において、画像認識部２３は、認識しているボールの所定の動作を検出する。ここでは、所定の動作とは、ステップＳ５０９で指定した物体の動作である、「同じ大きさになったら」である。すなわち、画像認識部２３は、認識しているボールの大きさが、ステップＳ５０８において、指定したボールと同じ大きさになったか否かを判定する。同じ大きさになったことを検出した場合、画像認識部２３は、デジタル部システム制御部１８に通知し、ステップＳ５１４に処理を進める。
【００６２】
ステップＳ５１４において、カメラ部システム制御部１９は、ステップＳ５１０で指定したバッターにピントを合わせ、デジタル部システム制御部１８およびカメラ部システム制御部１９は、静止画の撮像を行う。なお、物体にピントを合わせる方法は、上述したＴＶＡＦにすることにより高速でかつ継続させて、バッターにピントを合わせることができる。
上述したような処理により、例えば、ピッチャーがボールをバッターに向かって投げ、そのボールが指定した大きさになると、バッターにピントを合わせてレリーズすることで、自動的に静止画を撮影することができる。
【００６３】
なお、上述した第１の実施形態及び第２の実施形態では、記録媒体１５０、１６０に記憶した動画データを再生して、表示されている画像から画像認識させたい物体及びピントを合わせたい物体を指定する場合について説明したが、この場合に限られない。例えば、画像認識させたい物体及びピントを合わせたい物体は、撮像した静止画から選択してもよく、予め指定したい物体が記憶されている物体を識別するデータから一覧リストを表示し、その一覧リストから指定したい物体を選択できるようにしてもよい。
【００６４】
なお、上述した実施形態における撮像装置を構成する各手段、並びに撮像方法の各ステップは、撮像装置（コンピュータ）のＲＡＭやＲＯＭ等に記憶されたプログラムが動作することによって実現できる。このプログラム及びこのプログラムを記録したコンピュータ読み取り可能な記録媒体は本発明に含まれる。
【００６５】
なお、本発明は、上述した実施形態の機能を実現するソフトウェアのプログラムを撮像装置に直接、又は遠隔から供給する。そして、その撮像装置のコンピュータが前記供給されたプログラムコードを読み出して実行することによっても達成される場合を含む。
【００６６】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【図面の簡単な説明】
【００６７】
【図１】一眼レフデジタルスチルカメラの構成を示すブロック図である。
【図２】第１の実施形態に係る一眼レフデジタルスチルカメラの動作を示すフローチャートである。
【図３】画像認識させる物体の動作を指定するためのメニューを示す図である。
【図４】ＴＶＡＦの動作を示すフローチャートである。
【図５】ＴＶＡＦの動作を説明するための図である。
【図６】第２の実施形態に係る一眼レフデジタルスチルカメラの動作を示すフローチャートである。
【符号の説明】
【００６８】
２００      デジタルスチルカメラ（撮像装置）
２０１      カメラ本体
２０２      レンズユニット
１１０      レンズ
２０        画像表示部
１８        デジタル部システム制御部
１９        カメラ部システム制御部
２３        画像認識部
３２        操作部
４０        入力部
【図１】
2010087998.tif 000003
【図２】
2010087998.tif 000004
【図３】
2010087998.tif 000005
【図４】
2010087998.tif 000006
【図５】
2010087998.tif 000007
【図６】
2010087998.tif 000008